(57)【要約】【課題】熟練を要すること無く、簡単に肉薄部を形成することのできる発泡材裁断装置を提供する。【解決手段】刃物部材と押圧手段５０との間に板状の発泡部材６０を配置した後、押圧手段５０により発泡部材６０を刃物部材の刃先に押し付け、この刃物部材により板状の発泡部材６０から肉薄部が形成された衝撃緩衝部材を裁断するようにした。【選択図】　図５
2004050332.tif 000002
【特許請求の範囲】
【請求項１】
肉薄部が形成される衝撃緩衝部材の形状に沿って刃物部材を立設した基台であって、該刃物部材の刃先のうち、前記肉薄部に対応する部分の刃先を他の刃物部材の刃先よりも低く立設した基台と、
下面が前記刃物部材の刃先に当接する押圧手段とを具え、
前記刃物部材と前記押圧手段との間に板状の発泡部材を配置した後、前記押圧手段により前記発泡材を前記刃物部材の刃先に押し付け、該刃物部材により前記板状の発泡部材から前記肉薄部が形成された衝撃緩衝部材を裁断するようにしたことを特徴とする発泡材裁断装置。
【請求項２】
前記基台には、前記刃物部材により囲繞される部分と、それ以外の部分とに、それぞれ型抜き用の弾性部材が配設されていることを特徴とする請求項１に記載の発泡材裁断装置。
【請求項３】
前記刃物部材により囲繞される部分に配設された弾性部材の弾性係数Ｅ１は、それ以外の部分に配設された弾性部材の弾性係数Ｅ２よりも大きく（Ｅ１＞Ｅ２）設定されていることを特徴とする請求項１に記載の発泡材裁断装置。
【請求項４】
前記基台には、前記押圧手段の最下点を規制するストッパーが配設されていることを特徴とする請求項１に記載の発泡材裁断装置。
【請求項５】
前記押圧手段は所定距離昇降する昇降部材と、該昇降部材の下面に配設された押圧板と、該押圧板の下面に配設された当板からなることを特徴とする請求項１に記載の発泡材裁断装置。
【請求項６】
前記当板は、最下面から順に弾性板、板材、当紙、板材からなることを特徴とする請求項５に記載の発泡材裁断装置。
【請求項７】
前記弾性板は塩化ビニールにより構成されていることを特徴とする請求項６に記載の発泡材裁断装置。
【発明の詳細な説明】
【０００１】
【発明の属する技術分野】
この発明は、発泡材を所定の形状に裁断して衝撃緩衝部材を製造する発泡材裁断装置に関し、特に裁断された発泡材の一部に肉薄部を形成するようにした発泡材裁断装置に関する。
【０００２】
【従来の技術】
従来から、箱体内に物品を収容する際に、物品の位置決めと物品に加わる衝撃を緩和させるため、ポリエチレン発泡材あるいはポリプロピレン発泡材等からなる衝撃緩衝部材が使用されている。
【０００３】
図１３は上述した衝撃緩衝部材の１例を示す平面図である。
【０００４】
この衝撃緩衝部材１は、ポリエチレン発泡材あるいはポリプロピレン発泡材等からなる板材を作業者がカッター等の治具を使用して裁断することにより得られるもので、その内部には中央部両側方へ向けて、さらに切り込み線２、３、４が加えられている。
【０００５】
この切り込み線２、３、４は、衝撃緩衝部材１をさらに分離形成するものではなく、切り込み線２、３、４により囲繞された部分１ａとそれ以外の部分１ｂとを切り込み線２に沿って折り曲げられるように当該切り込み線２に沿った部分に肉薄部を形成するためのものである。
【０００６】
そして、図１４の斜視図に示すように、切り込み線２に沿って形成された肉薄部５を中心に切り込み線２、３、４により囲繞された部分１ａを矢印Ａのように折り曲げると、そこに凹部６が形成され、その凹部６に物品７を配置することにより図示せぬ箱体内における物品７の位置決めと、その衝撃吸収作用が図られることとなる。
【０００７】
【発明が解決しようとする課題】
ところで、上述した衝撃緩衝部材１の肉薄部５は、図１３に示すように、衝撃緩衝部材１の上面からカッター等の治具を使用し、切り込み線２に沿って裁断する際に、その底部が切り取れることのないよう底部に約２ミリ程度の非切り込み部を残しつつ裁断しなけれはならないので、その作業が煩雑で熟練した作業者でなければ出来ない難点があった。
【０００８】
この発明は、上述した事情に鑑み、熟練を要すること無く、簡単に肉薄部を形成することのできる発泡材裁断装置を提供することを目的とする。
【０００９】
【課題を解決するための手段】
上述した課題を解決するため、この発明の発泡材裁断装置では、肉薄部が形成される衝撃緩衝部材の形状に沿って刃物部材を立設した基台であって、該刃物部材の刃先のうち、前記肉薄部に対応する部分の刃先を他の刃物部材の刃先よりも低く立設した基台と、下面が前記刃物部材の刃先に当接する押圧手段とを具え、前記刃物部材と前記押圧手段との間に板状の発泡部材を配置した後、前記押圧手段により前記発泡材を前記刃物部材の刃先に押し付け、該刃物部材により前記板状の発泡部材から前記肉薄部が形成された衝撃緩衝部材を裁断するようにしている。
【００１０】
【発明の実施の形態】
以下、この発明に係わる発泡材裁断装置の一実施例を詳述する。
【００１１】
図１はこの発明に係わる発泡材裁断装置１０の基台１１を示す概念斜視図である。
【００１２】
この基台１１上には、後述する板状の発泡材から図１３に示す衝撃緩衝部材１を一対裁断するために、該衝撃緩衝部材１の外形状に沿った刃物部材１２が立設されている。
【００１３】
また、この刃物部材１２のうち、図１４の肉薄部５に対向する位置の刃物部分１２ａの刃先１２ｂは、その要部拡大図で示す図２のように、他の刃物部材１２の刃先１２ｃよりもＳだけ低く設定されている。なお、このＳの程度は、図１４に示す衝撃緩衝部材１形成される肉薄部５の厚さに応じて異なるが、通常は１乃至２ミリ程度に設定されている。
【００１４】
一方、実施例では、図３に示すように、衝撃緩衝部材１の形状に応じて立設された刃物部材１２により囲繞される部分１３と、それ以外の部分１４とには、それぞれ型抜き用の弾性部材２０、２１が刃物部材１２に密着して配設され、特に刃物部材１２により囲繞される部分に配設された弾性部材２０の弾性係数Ｅ１は、それ以外の部分に配設された弾性部材２１の弾性係数Ｅ２よりも大きく（Ｅ１＞Ｅ２）設定され、裁断後の衝撃緩衝部材１の型抜きを容易なものとしている。
【００１５】
また、基台１１の四隅にはそれぞれ上述した矩形状の弾性部材２１を位置決める平面Ｌ字形状の弾性部材３０が配設されている。
【００１６】
なお、上述した各弾性部材２０、２１、３０もポリエチレン発泡材あるいはポリプロピレン発泡材等により形成されている。
【００１７】
一方、この平面Ｌ字形状の弾性部材３０間に位置する基台１１上には、後述する押圧手段の最下点を規制するとともに、各弾性部材２０、２１の水平方向への膨脹を規制する金属製のストッパー４０が矩形状弾性部材２１の各辺に対応して４か所、密着して配設されている。なお、この各ストッパー４０は図１に示す基台１に形成された孔４１内に嵌着自在に配設されるように構成されている。
【００１８】
一方、図４に示すように押圧手段５０は、図示せぬモータ等の駆動装置により所定距離昇降する昇降部材５１と、この昇降部材５１の下面に配設された押圧板５２からなり、さらにこの押圧板５２の下面には、後述する板状の発泡材を直接押圧する当板５３が配設されている。
【００１９】
この当板５３は、４層構造からなり、最下面から順に弾性板５４、板材５５、当紙５４、板材５６とから構成されている。
【００２０】
このうち、弾性板５４は塩化ビニール等により構成され、押圧手段５０が最下点に至った際に刃物部材１２の刃先１２ｃに直接当接して当該刃先１２ｃの損傷を可及的に防止するものであり、また当紙５４は一対の板材５４、５５に挟持され、当該当板５３の板厚ｔを調節し、これにより押圧手段５０全体の上下動ストロークを調節するものである。
【００２１】
次に上述した発泡材裁断装置１０の作用を説明し、併せて構成をより詳細に説明する。
【００２２】
図５はこの発明に係わる発泡材裁断装置１０の作用を説明する概念側面図で、図１乃至図４と同一部分を同一符号で示す。
【００２３】
まず、図５に示すように、裁断対象たる板状の発泡材６０を押圧手段５０と基台１１との間に配置し、次に、その発泡材６０を図６で示すように、基台１１の４隅に配設されたＬ字形状の弾性部材３０間に位置決め配置する。
【００２４】
次に、図７で示すように、押圧手段５０を下降させ、その当板５３を発泡材６０に当接させた後、さらに図８で示すように、押圧手段５０を下降させ、その押圧板５２が金属製のストッパー４０に当接する位置、即ち最下点に至まで下降させる。
【００２５】
このように、押圧手段５０を下降させ、その押圧板５２が金属製のストッパー４０に当接する最下点まで下降させると、押圧手段５０の当板５３により、板状の発泡材６０および、その下面に配置された各弾性部材２０、２１、３０も下方へ圧縮されることとなる。
【００２６】
なお、このストッパー４０により、当板５３の最下点も同時に規制されるので、刃物部材１２の刃先１２ｃに当接する弾性板５４の必要以上の切り込みも阻止され、このため弾性板５４の切断も阻止されることとなる。
【００２７】
このように、押圧手段５０の当板５３により、板状の発泡材６０および、その下面に配置された各弾性部材２０、２１、３０が下方へ圧縮されると、刃物部材１２の要部破断拡大断面図で示す図９のように、押圧手段５０の当板５３が刃物部材１２の刃先１２ｃに当接して板状の発泡材６０を刃物部材１２の配置形状に対応して裁断する。また刃先が他の刃先１２ｃよりもＳだけ低く設定された刃先１２ｂの部分は当板５３と当接しないので、その部分の発泡材６０はその裁断が免れ、そこに肉薄部５が形成されることとなる。
【００２８】
このように板状の発泡材６０が刃物部材１２によりその形状に対応して裁断された後、押圧手段５０の当板５３を上昇させると、板状の発泡材６０および各弾性部材２０、２１、３０が自己の弾発力により、その形状を復元すべく上方へ移動するが、その際、図１０で示すように、刃物部材１２により囲繞される部分に配設された弾性係数Ｅ１の大きい型抜き用の弾性部材２０の復元力は、他の弾性部材２０よりも大きいので、板状の発泡材６０から肉薄部分５を有する衝撃緩衝部材１がその他の部分よりも早めに上方に浮き出るように突出し、その抜き取り作業が容易となる。
【００２９】
なお、図９で示す、押圧手段５０の当板５３による板状の発泡材６０の押圧裁断の際に、その要部断面図で示す図１１のように、衝撃緩衝部材１の形状に応じて立設された刃物部材１２により囲繞される部分１３に配設された型抜き用の弾性部材２０の水平方向への変形と、それ以外の部分１４に配設された型抜き用の弾性部材２１の水平方向への変形とにより刃物部材１２に倒れが発生し、そのため正確な衝撃緩衝部材１の形状の裁断が損なわれる虞があるが、この発明の裁断装置１０では、図１２で示すように押圧部材５２の最下点を規制する金属製のストッパー４０が同時に弾性部材２１の水平方向への変形を可及的に阻止するので、このような、刃物部材１２の倒れが可及的に阻止され、これにより板状の発泡材６０から正確な形状の衝撃緩衝部材１が裁断されることとなる。
【００３０】
なお、上記実施例では金属製のストッパー４０を矩形状弾性部材２１の各辺に密着して配設するようにしたが、この発明は上記実施例に限定されることなく、金属製のストッパー４０を弾性部材２１の各辺から離間して配設するようにしてもよい。
【００３１】
【発明の効果】
以上説明したように、この発明の発泡材裁断装置では、肉薄部に対応する部分の刃先を他の刃物部材の刃先よりも低く立設した基台と、下面に刃物部材の刃先に当接する押圧手段とを具え、この押圧手段により発泡材を刃物部材の刃先に押し付け、これにより板状の発泡部材から肉薄部が形成された衝撃緩衝部材を裁断するようにしたから、熟練を要することなく簡単な作業で肉薄部を有する衝撃緩衝部材を製造することができる。
【図面の簡単な説明】
【図１】図１はこの発明に係わる発泡材裁断装置の概念斜視図。
【図２】図２は図１の要部拡大図。
【図３】図３は弾性部材を充填した発泡材裁断装置の概念斜視図。
【図４】図４は押圧手段の拡大図。
【図５】図５はこの発明に係わる発泡材裁断装置の作用を説明する側面図。
【図６】図６はこの発明に係わる発泡材裁断装置の作用を説明する側面図。
【図７】図７はこの発明に係わる発泡材裁断装置の作用を説明する側面図。
【図８】図８はこの発明に係わる発泡材裁断装置の作用を説明する側面図。
【図９】図９は図８の要部拡大図。
【図１０】図１０は衝撃緩衝部材の型抜き状態を示す要部破断拡大図。
【図１１】図１１は刃物部分の倒れを説明する要部破断拡大図。
【図１２】図１２はこの発明の発泡材裁断装置による刃物部分の倒れを防止する要部破断拡大図。
【図１３】図１３は衝撃緩衝部材の例を示す平面図。
【図１４】図１４は衝撃緩衝部材の例を示す概念斜視図。
【符号の説明】
１…衝撃緩衝部材
５…肉薄部
１０…発泡材裁断装置
１１…基台
１２…刃物部材
１２ｂ、１２ｃ…刃先
２０、２１、３０…弾性部材
４０…ストッパー
５０…押圧手段
５１…昇降部材
５２…押圧板
５３…当板
５４…弾性板
５５、５７…板材
５６…当紙
６０…発泡材
【図１】
2004050332.tif 000003
【図２】
2004050332.tif 000004
【図３】
2004050332.tif 000005
【図４】
2004050332.tif 000006
【図５】
2004050332.tif 000007
【図６】
2004050332.tif 000008
【図７】
2004050332.tif 000009
【図８】
2004050332.tif 000010
【図９】
2004050332.tif 000011
【図１０】
2004050332.tif 000012
【図１１】
2004050332.tif 000013
【図１２】
2004050332.tif 000014
【図１３】
2004050332.tif 000015
【図１４】
2004050332.tif 000016
【手続補正書】
【提出日】平成14年7月25日(2002.7.25)
【手続補正１】
【補正対象書類名】図面
【補正対象項目名】全図
【補正方法】変更
【補正の内容】
【図１】
2004050332.tif 000017
【図２】
2004050332.tif 000018
【図３】
2004050332.tif 000019
【図４】
2004050332.tif 000020
【図５】
2004050332.tif 000021
【図６】
2004050332.tif 000022
【図７】
2004050332.tif 000023
【図８】
2004050332.tif 000024
【図９】
2004050332.tif 000025
【図１０】
2004050332.tif 000026
【図１１】
2004050332.tif 000027
【図１２】
2004050332.tif 000028
【図１３】
2004050332.tif 000029
【図１４】
2004050332.tif 000030